(57)【要約】      （修正有）【課題】組立が便利で封止性能を確保できる、電気デバイスを収容するためのハウジング及び回路制御装置を提供する。【解決手段】ハウジングはハウジング壁１０を具備する。ハウジング壁１０は、前面と、前面とは逆向きの後面１４とを有する。ハウジング壁１０は、前面から後面まで延びる。ハウジング壁１０は、少なくとも２個の開口を有するキャビティを形成するよう取り囲む。ハウジング壁１０の前面及び後面１４は、それぞれ封止構造を有する。封止構造は、前面及び後面１４から突出する。電気デバイスを収容するためのハウジングは、両面封止構造の設計を採用することにより、ハウジングの両端の封止性能が使用の要求事項を満たすように、ハウジングの両端に端キャップを実装する。便利な組立、強力な封止性能及び広い応用性を有する。【選択図】図２
0003196536.tif 000002
【実用新案登録請求の範囲】
【請求項１】
電気デバイスを収容するためのハウジングであって、
前面と、該前面とは逆向きの後面とを有するハウジング壁を具備し、
前記ハウジング壁は、前記前面から前記後面まで延びており、
前記ハウジング壁は、少なくとも２個の開口を有するキャビティを形成するよう取り囲み、
前記ハウジング壁の前記前面及び前記後面は、それぞれ封止構造を有し、
前記封止構造は、前記前面及び前記後面から突出していることを特徴とするハウジング。
【請求項２】
前記封止構造は、封止ガスケットであり、前記キャビティの周囲に連続的に設けられることを特徴とする請求項１記載のハウジング。
【請求項３】
前記封止構造は、定位置硬化型ガスケットであることを特徴とする請求項２記載のハウジング。
【請求項４】
前記ハウジング壁にはスルーホールが設けられ、
前記スルーホールは、前記前面から前記後面まで延びており、
前記スルーホール内にブッシングが設けられていることを特徴とする請求項１又は３記載のハウジング。
【請求項５】
前記ブッシングは、前記スルーホール内に弾性的に実装され、
前記ブッシングの弾性により、前記ブッシングが前記スルーホールの壁を閉じることができることを特徴とする請求項４記載のハウジング。
【請求項６】
前記ブッシングの両端は、軸方向に沿って前記ハウジング壁の前記前面及び前記後面から突出することを特徴とする請求項５記載のハウジング。
【請求項７】
前記ハウジング壁の前記前面及び前記後面から突出する前記封止構造の高さは、前記ハウジング壁の前記前面及び前記後面から突出する前記ブッシングの長さより大きいことを特徴とする請求項４記載のハウジング。
【請求項８】
前記ハウジングは、２個の端キャップをさらに具備し、
前記２個の端キャップは、前記ハウジングの前記前面及び前記後面にそれぞれ配置され、前記キャビティの２個の開口を閉じ、
前記２個の端キャップは、前記ブッシングの両端にそれぞれ接触し、前記封止ガスケットを押圧して前記封止ガスケットを弾性変形させることを特徴とする請求項４記載のハウジング。
【請求項９】
前記２個の端キャップは、ねじで前記ハウジングに実装され、
前記ねじは、一方の前記端キャップを貫通し、次に前記ブッシングのバレル状キャビティを貫通し、他方の前記端キャップと螺合することを特徴とする請求項８記載のハウジング。
【請求項１０】
前記ブッシングは金属製ブッシングであり、
前記端キャップは金属製端キャップであることを特徴とする請求項８記載のハウジング。
【請求項１１】
前記ハウジングはプラグハウジングを具備することを特徴とする請求項１記載のハウジング。
【請求項１２】
請求項１ないし１１のうちいずれか１項記載のハウジングと、前記キャビティ内に配置された回路制御デバイスとを具備することを特徴とする回路制御装置。
【考案の詳細な説明】
【技術分野】
【０００１】
本考案は、電気デバイスを収容するためのハウジング及び回路制御装置に関する。
【背景技術】
【０００２】
車輌は、多くの種類の電気デバイスを使用することを要する。電気デバイスの保護は、回路制御を要する様々な構造体で特に重要である。従来技術において、リレー等のいくつかの重要な電気部品は、安全な使用を確保するために防水ハウジングに実装されるのが通常である。しかし、従来技術において電気デバイスを収容するためのハウジングは、ハウジング及び２個の端キャップを具備するのが通常である。ここで、２個の端キャップはハウジングの両端にそれぞれ実装され、封止ガスケットが一方の端キャップ及びハウジング間に配置され、他方の端キャップは防水性能を確保するために溶接により実装される。しかし、このような設計は組立専用の装置を使用することを要し、組立が困難である。特に、この設計構造は、現場で組み立てるように構成されていない。
【考案の概要】
【考案が解決しようとする課題】
【０００３】
本考案の目的は、従来技術の欠点を克服するために、組立が便利で封止性能を確保できる、電気デバイスを収容するためのハウジングを提供することである。
【課題を解決するための手段】
【０００４】
上述の目的を達成するために、本考案は以下の技術的解決手段を用いる。すなわち、電気デバイスを収容するためのハウジングであって、前面と、前面とは逆向きの後面とを有するハウジング壁を具備し、ハウジング壁は、前面から後面まで延びており、ハウジング壁は、少なくとも２個の開口を有するキャビティを形成するよう取り囲み、ハウジング壁の前面及び後面は、それぞれ封止構造を有し、封止構造は、前面及び後面から突出している。
【０００５】
好適には、封止構造は、封止ガスケットであり、キャビティの周囲に連続的に設けられる。
【０００６】
好適には、封止構造は、定位置硬化型（cured-in-place）ガスケットである。
【０００７】
好適には、ハウジング壁にはスルーホールが設けられる。スルーホールは、前面から後面まで延びている。スルーホール内にブッシングが設けられる。
【０００８】
好適には、ブッシングは、スルーホール内に弾性的に実装される。そして、弾性ブッシングの弾性により、ブッシングがスルーホールの壁を閉じることができる。
【０００９】
好適には、ブッシングの両端は、軸方向に沿ってハウジング壁の前面及び後面から突出する。
【００１０】
好適には、ハウジング壁の前面及び後面から突出する封止構造の高さは、ハウジング壁の前面及び後面から突出するブッシングの長さより大きい。
【００１１】
好適には、ハウジングは、２個の端キャップをさらに具備する。２個の端キャップは、ハウジングの前面及び後面にそれぞれ配置され、キャビティの２個の開口を閉じる。２個の端キャップは、ブッシングの両端にそれぞれ接触し、封止ガスケットを押圧して封止ガスケットを弾性変形させる。
【００１２】
好適には、２個の端キャップは、ねじでハウジングに実装される。ねじは、一方の端キャップを貫通し、次にブッシングのバレル状キャビティを貫通し、他方の端キャップと螺合する。
【００１３】
好適には、ブッシングは金属製ブッシングである。端キャップは金属製端キャップである。
【００１４】
好適には、ハウジングはプラグハウジングを有する。
【００１５】
本考案の第２の目的は、組立が便利で、従来技術の欠点を克服する封止性能を確保できる回路制御装置を提供することである。
【００１６】
上述の目的を達成するために、本考案は以下の技術的解決手段を用いる。すなわち、上述のハウジングと、キャビティ内に配置された回路制御デバイスとを具備することを特徴とする回路制御装置である。
【００１７】
本考案に係る、電気デバイスを収容するためのハウジングは、両面封止構造に設計することにより、ハウジングの両端に端キャップを便利に実装し、その結果、ハウジングの両端の封止性能が使用の要求事項を満たすことができる。
【図面の簡単な説明】
【００１８】
【図１】本考案に係る、電気デバイスを収容するためのハウジングの斜視図である。
【図２】本考案に係る、電気デバイスを収容するためのハウジングを別の方向から見た斜視図である。
【図３Ａ】図１のＡ方向に沿った断面図である。
【図３Ｂ】図３Ａの部分拡大図である。
【図４】本考案に係る回路制御装置の斜視図である。
【図５】本考案に係る回路制御装置を別の方向から見た斜視図である。
【図６】図４のＡ方向に沿った部分断面図である。
【考案を実施するための形態】
【００１９】
図１及び図２に示されるように、電気デバイスを収容するためのハウジングは、ハウジング壁１０を具備する。ハウジング壁１０は、前面１１と、前面１１とは逆向きの後面１４とを有する。ハウジング壁１０は、前面１１から後面１４まで延びる。ハウジング壁１０は、少なくとも２個の開口を有するキャビティを形成するよう取り囲む。キャビティの数及び形状は、実使用での要求事項に従って決定される。本考案において、ハウジング壁１０は、前面１１の側に２個のキャビティ、すなわち第１キャビティ１２及び第２キャビティ１３が形成される。ハウジング壁１０は、１個のキャビティ、すなわち後面１４側の第３キャビティ１５が形成される。ハウジング壁１０内に形成された第１キャビティ１２、第２キャビティ１３及び第３キャビティ１５は、様々の要求された電気デバイス、コネクタ、ワイヤハーネス及び回路の部材を受容するために使用される。
【００２０】
図４及び図５を参照すると、ハウジング壁１０の前面１１及び後面１４には、それぞれ端キャップ、すなわち第１端キャップ２１及び第２端キャップ２２が実装される。第１端キャップ２１及び第２端キャップ２２は、キャビティが閉じたキャビティとなるように、それぞれキャビティの各開口を閉じる。複数のねじ１６が第１端キャップ２１及びハウジング壁１０を貫通し、第２端キャップ２２に螺合する。第１端キャップ２１及び第２端キャップ２２は、ねじ１６によりハウジング壁１０の前面１１及び後面１４に実装される。
【００２１】
図３Ａに示されるように、ハウジング壁１０にはスルーホール１８が設けられる。スルーホール１８は、ハウジング壁１０の前面１１から後面１４まで延びており、ハウジング壁１０を貫通する。スルーホール１８にはブッシング４０が設けられる。ブッシング４０は、スルーホール１８内に弾性的に実装される。ブッシング４０は、金属製のバレル状構造体である。ブッシング４０は、バレル壁４１と、バレル壁４１により取り囲まれるバレル状キャビティ４２とを具備する。ブッシング４０は、様々に利用可能な形状を有してもよい。本考案において、ブッシング４０は筒状である。ブッシング４０がスルーホール１８内に配置される前において、ブッシング４０は、スルーホール１８より若干大きく寸法が設定される。本考案の好適な一実施形態において、ブッシング４０の外面４４の径は、スルーホール１８の径より若干大きい。ブッシング４０がスルーホール１８に入った後、ブッシング４０は、スルーホール１８の内壁にブッシング４０が密着することができる弾性変形力を有する。ブッシング４０がスルーホール１８に実装された後、ブッシング４０の第１端４６及び第２端４７はそれぞれ、ハウジング壁１０の前面１１及び後面１４から長さＬだけ突出する。ブッシング４０が前面１１から突出する長さは、ブッシング４０が後面１４から突出する長さと同じでもよいし、異なっていてもよい。
【００２２】
ハウジング壁の前面１１及び後面１４には、封止ガスケット等の封止構造がそれぞれ設けられている。封止構造は、前面１１及び後面１４から突出し、キャビティの周囲に設けられる。本考案の一例において、ハウジング壁１０は、前面１１の側に第１キャビティ１２及び第２キャビティ１３で構成される。従って、第１封止ガスケット３１及び第２封止ガスケット３２がハウジング壁の前面に設けられる。第１封止ガスケット３１及び第２封止ガスケット３２は、それぞれ第１キャビティ１２及び第２キャビティ１３の周囲を巡る。第３封止ガスケット３３は、ハウジング壁の後面１４に設けられる。第３封止ガスケット３３は第３キャビティ１５の周囲を巡る。本考案の好適な一例において、ハウジング壁の前面１１及び後面１４に設けられた封止構造は、定位置硬化型ガスケット（ＣＩＰＧ）である。
【００２３】
端キャップがハウジング壁１０に実装される前に、第１封止ガスケット３１、第２封止ガスケット３２及び第３封止ガスケット３３は、ハウジング壁１０の前面１１及び後面１４からそれぞれ突出し、それぞれ高さＨを形成する。前面１１から突出する第１封止ガスケット３１の高さは、前面１１から突出する第２封止ガスケット３２の高さ及び後面１４から突出する第３封止ガスケット３３の高さと同じであってもよいし、異なっていてもよい。前面１１から突出する第１封止ガスケット３１及び第２封止ガスケット３２の高さＨは、前面１１から突出するブッシング４０の長さＬより大きい。後面１４から突出する第３封止ガスケット３３の高さＨは、後面１４から突出するブッシング４０の長さＬより大きい。
【００２４】
第１端キャップ２１及び第２端キャップ２２は、ハウジング壁１０の前面１１及び後面１４に実装される。本考案の一例において、ねじ１６は、第１端キャップ２１を貫通し、次にブッシング４０のバレル状キャビティ４２を貫通し、そしてねじ１６の端部は第２端キャップ２２と螺合する。第１端キャップ２１及び第２端キャップ２２が互いに向かって移動し、ハウジング壁１０を徐々に挟むように、ねじ１６を回転させる。第１端キャップ２１及び第２端キャップ２２が互いに向かって移動する間、第１端キャップ２１は第３封止ガスケット３３を押圧して弾性変形させ、第２端キャップ２２は第１封止ガスケット３１及び第２封止ガスケット３２を押圧して弾性変形させる。第１端キャップ２１及び第２端キャップ２２がブッシング４０の第１端４６及び第２端４７にそれぞれ当接し、ブッシング４０に接触するまで、第１端キャップ２１及び第２端キャップ２２は互いに向かって移動する。第１封止ガスケット３１、第２封止ガスケット３２及び第３封止ガスケット３３は全て、押圧されて封止性能を向上するよう変形する。ブッシング４０は金属製のブッシングである。第１端キャップ２１及び第２端キャップ２２は、金属製の端キャップであり、金属製ブッシング４０にそれぞれ接触して、本考案がシールド機能を有するように電圧が印加された電気経路を形成する。
【００２５】
本考案は、電気デバイスを受容し、電気デバイスが封止状態で使用されるように第１キャビティ１２、第２キャビティ１３及び第３キャビティ１５内に電気デバイスを実装して使用される。水分及び水に対する抵抗が使用中に確保され、安全な使用が提供可能である。本考案の好適な一実施形態において、ハウジング壁１０にはプラグハウジング５０が設けられる。プラグハウジングは、キャビティ内の電気デバイスが外部回路と電気接続されるように、相手コネクタハウジングと接続するよう構成される。
【００２６】
本考案のハウジングは、特にエンジンギアボックス内に回路制御デバイスを実装するように構成される。回路制御デバイスは、ハウジングのキャビティ内に実装されてもよい。
【００２７】
本考案の実施形態は、本考案を例示するためにのみ用いられ、実用新案登録請求の範囲を限定するものと解釈してはならない。当業者が考える他の実質的に等価な代替案も全て本考案の範囲内である。
【符号の説明】
【００２８】
１０  ハウジング壁
１１  前面
１２  第１キャビティ
１３  第２キャビティ
１４  後面
１５  第３キャビティ
１６  ねじ
１８  スルーホール
２１  第１端キャップ
２２  第２端キャップ
３１  第１封止ガスケット
３２  第２封止ガスケット
３３  第３封止ガスケット
４０  ブッシング
４２  バレル状キャビティ
【図１】
0003196536.tif 000003
【図２】
0003196536.tif 000004
【図３Ａ】
0003196536.tif 000005
【図３Ｂ】
0003196536.tif 000006
【図４】
0003196536.tif 000007
【図５】
0003196536.tif 000008
【図６】
0003196536.tif 000009